(57)【要約】【課題】情報交換を求める相手の接近を検知し、以後のコミュニケーションにつなげることのできるツールの提供。【解決手段】携帯端末１ａのユーザは、それぞれ情報交換対象が異なるサイトＡＡＡ、ＢＢＢ、ＣＣＣでそれぞれ提供されるマッチングキー生成アプリケーションを用いて、売買条件、求人条件、希望プロフィール等を符号化したマッチングキーを用意しておく。携帯端末１ａは、所定の時間間隔で、近距離無線通信機能を用いて、サイトＡＡＡ、ＢＢＢ、ＣＣＣのマッチングキーを保持する他の携帯端末の検索を行う。共通するサイト（ＡＡＡ及びＢＢＢ）のマッチングキーを保持する携帯端末１ｂが見つかった場合、携帯端末１ａは、両者のマッチングキーを用いたマッチングを実施し、条件が適合すると判定した場合には、情報交換用のアドレスを送信又は送信要求する。【選択図】図５
2008244776.tif 000002
【特許請求の範囲】
【請求項１】
所定の生成規則を用いて情報交換を求める相手に関する情報から生成したマッチングキーと、マッチングキー生成規則ＩＤとの組を記憶するマッチングキー記憶部と、
所定の時間間隔で、近距離無線通信機能を用いて前記マッチングキー記憶部に保持されたマッチングキー生成規則ＩＤが共通する他の携帯端末を検索する端末検索部と、
近距離無線通信機能を用いて前記マッチングキー生成規則ＩＤが共通する他の携帯端末と通信し、前記他の携帯端末に記憶されたマッチングキーと、自機のマッチングキーとを照合し、情報交換を求める相手であるか否かを判定するマッチング処理部と、
前記情報交換を求める相手であると判定した他の携帯端末に対し情報交換用アドレスを送信し、または、該他の携帯端末に対して情報交換用アドレスの送信を要求する情報交換用アドレス交換部と、を備えたこと、
を特徴とする携帯端末。
【請求項２】
更に、ユーザから入力を受け付け、前記所定の生成規則を用いて前記マッチングキーを生成するマッチングキー生成部を備えたこと、
を特徴とする請求項１に記載の携帯端末。
【請求項３】
前記情報交換用アドレスが、インターネット上のコンテンツにアクセスするためのＵＲＬ（Ｕｎｉｆｏｒｍ  Ｒｅｓｏｕｒｃｅ  Ｌｏｃａｔｏｒ）であること、
を特徴とする請求項１又は２に記載の携帯端末。
【請求項４】
更に、前記マッチング処理部の判定条件を設定するマッチング条件設定部を備えたこと、
を特徴とする請求項１乃至３いずれか一に記載の携帯端末。
【請求項５】
更に、前記マッチングキー生成規則ＩＤの中から、情報交換を求める相手の検索に用いるマッチングキー生成規則ＩＤの指定を受け付ける検索相手指定部を備えたこと、
を特徴とする請求項１乃至４いずれか一に記載の携帯端末。
【請求項６】
前記マッチング処理部は、既知の携帯端末に対しては、前記端末検索部の動作間隔よりも長い間隔で照合動作を実行すること、
を特徴とする請求項１乃至５いずれか一に記載の携帯端末。
【請求項７】
請求項１乃至６いずれか一に記載の携帯端末から情報交換を求める相手に関する情報を受け付け、所定の生成規則に従ってマッチングキーを生成し、前記マッチングキー生成規則ＩＤとともに、前記携帯端末に送信するマッチングキー生成部を備えたこと、
を特徴とするマッチングキー生成サーバ。
【請求項８】
広告情報データベースと、近距離無線通信機能と、を備え、請求項１乃至６いずれか一に記載の携帯端末から受信したマッチングキー生成規則ＩＤ及びマッチングキーに適合する広告情報を配信する広告配信部を備えること、
を特徴とする広告配信サーバ。
【請求項９】
一の携帯端末が、所定の生成規則を用いて情報交換を求める相手に関する情報から生成したマッチングキーと、マッチングキー生成規則ＩＤと、の組を記憶するステップと、
前記一の携帯端末が、所定の時間間隔で、近距離無線通信機能を用いて、共通するマッチングキー生成規則ＩＤを記憶する他の携帯端末を検索するステップと、
前記一の携帯端末が、近距離無線通信機能を用いて前記生成規則ＩＤが共通する他の携帯端末と通信し、前記他の携帯端末に記憶されたマッチングキーと、自機のマッチングキーとを照合し、情報交換を求める相手であるか否かを判定するステップと、
前記一の携帯端末が、前記情報交換を求める相手であると判定した他の携帯端末に対し情報交換用アドレスを送信し、または、該他の携帯端末に対して情報交換用アドレスの送信を要求するステップと、を含むこと、
を特徴とする携帯端末を用いた情報交換方法。
【請求項１０】
所定の生成規則を用いて情報交換を求める相手に関する情報から生成したマッチングキーと、マッチングキー生成規則ＩＤと、の組を記憶するマッチングキー記憶部を備える携帯端末に実行させるプログラムであって、
所定の時間間隔で、近距離無線通信機能を用いて、共通する生成規則ＩＤを記憶する他の携帯端末を検索する処理と、
近距離無線通信機能を用いて前記マッチングキー生成規則ＩＤが共通する他の携帯端末と通信し、前記他の携帯端末に記憶されたマッチングキーと、自機のマッチングキーとを照合し、情報交換を求める相手であるか否かを判定する処理と、
前記情報交換を求める相手であると判定した他の携帯端末に対し情報交換用アドレスを送信し、または、該他の携帯端末に対して情報交換用アドレスの送信を要求する処理と、を実行させるためのプログラム。
【発明の詳細な説明】
【技術分野】
【０００１】
本発明は、携帯端末、サーバ、携帯端末を用いた情報交換方法及びプログラムに関し、特に、ユーザのニーズに適った情報交換の相手を検知する機能を備えた携帯端末、サーバ、これらを用いた情報交換方法及び前記携帯端末に備えられる機能を実現するためのプログラムに関する。
【背景技術】
【０００２】
近年、携帯電話端末等の携帯端末の高性能化が進むとともに、コミュニケーションツールとして幅広い年齢層に普及している。また、携帯端末から利用可能な友人紹介サイト、商品売買サイト、地域情報・口コミ情報の情報交換サイトも多数出現している。これらのサイトにおいては、ユーザが利用料を支払って、不特定多数の情報登録者や登録情報から自分にマッチするコミュニケーション相手や登録情報を探し、そのコミュニケーション相手と連絡を取る、あるいは、登録情報を参照する手法が取られている。
【０００３】
例えば、特許文献１には、他の携帯端末ユーザが希望プロフィール情報を入力しておき、近距離無線通信の通信圏内に、前記希望プロフィール情報に類似した自己プロフィール情報をもつ携帯端末の存在を検知した場合に、その事実を知らせる携帯端末及び情報交換仲介システムが開示されている。
【０００４】
【特許文献１】特開２００２−１６５００９号公報
【発明の開示】
【発明が解決しようとする課題】
【０００５】
しかしながら、上記従来の方法では、登録会員データベース等に登録された膨大な候補者の中から自分にマッチした相手を見つけ出すこと自体が困難であり、しかも、その相手が必ずしも近くに存在するとは限らないという問題点がある。
【０００６】
特許文献１に記載の技術にしても、自分の希望条件に合った相手を探すといった特定用途に用いることができるとしても、商品売買相手、友人・仲間・同好の士の検索、地域情報の入手といったユーザが待つざまざまな情報交換対象への適用までは考えられておらず、仮に、これらをすべて包含するプロフィール情報を入力・交換するとすれば、交換されるプロフィール情報は非常に大きなサイズとなり、消費電力等の観点から現実的では無いものとなってしまうという問題点がある。
【０００７】
本発明は、上記した事情に鑑みてなされたものであって、その目的とするところは、上記消費電力の増大を抑えるとともに、情報交換を行いたい相手の接近を検知し、以後のコミュニケーションにつなげることのできる携帯端末、サーバ、携帯端末を用いた情報交換方法及びプログラムを提供することにある。
【課題を解決するための手段】
【０００８】
本発明の第１の視点によれば、所定の生成規則を用いて情報交換を求める相手に関する情報から生成したマッチングキーと、マッチングキー生成規則ＩＤとの組を記憶するマッチングキー記憶部と、所定の時間間隔で、近距離無線通信機能を用いて前記マッチングキー記憶部に保持されたマッチングキー生成規則ＩＤが共通する他の携帯端末を検索する端末検索部と、近距離無線通信機能を用いて前記マッチングキー生成規則ＩＤが共通する他の携帯端末と通信し、前記他の携帯端末に記憶されたマッチングキーと、自機のマッチングキーとを照合し、情報交換を求める相手であるか否かを判定するマッチング処理部と、前記情報交換を求める相手であると判定した他の携帯端末に対し情報交換用アドレスを送信し、または、該他の携帯端末に対して情報交換用アドレスの送信を要求する情報交換用アドレス交換部と、を備えたこと、を特徴とする携帯端末が提供される。
【０００９】
本発明の第２の視点によれば、一の携帯端末が、所定の生成規則を用いて情報交換を求める相手に関する情報から生成したマッチングキーと、マッチングキー生成規則ＩＤと、の組を記憶するステップと、前記一の携帯端末が、所定の時間間隔で、近距離無線通信機能を用いて、共通するマッチングキー生成規則ＩＤを記憶する他の携帯端末を検索するステップと、前記一の携帯端末が、近距離無線通信機能を用いて前記マッチングキー生成規則ＩＤが共通する他の携帯端末と通信し、前記他の携帯端末に記憶されたマッチングキーと、自機のマッチングキーとを照合し、情報交換を求める相手であるか否かを判定するステップと、前記一の携帯端末が、前記情報交換を求める相手であると判定した他の携帯端末に対し情報交換用アドレスを送信し、または、該他の携帯端末に対して情報交換用アドレスの送信を要求するステップと、を含むこと、を特徴とする携帯端末を用いた情報交換方法が提供される。
【００１０】
本発明の第３の視点によれば、所定の生成規則を用いて情報交換を求める相手に関する情報から生成したマッチングキーと、マッチングキー生成規則ＩＤと、の組を記憶するマッチングキー記憶部を備える携帯端末に実行させるプログラムであって、所定の時間間隔で、近距離無線通信機能を用いて、共通するマッチングキー生成規則ＩＤを記憶する他の携帯端末を検索する処理と、近距離無線通信機能を用いて前記マッチングキー生成規則ＩＤが共通する他の携帯端末と通信し、前記他の携帯端末に記憶されたマッチングキーと、自機のマッチングキーとを照合し、情報交換を求める相手であるか否かを判定する処理と、前記情報交換を求める相手であると判定した他の携帯端末に対し情報交換用アドレスを送信し、または、該他の携帯端末に対して情報交換用アドレスの送信を要求する処理と、を実行させるためのプログラムが提供される。
【００１１】
本発明の第４の視点によれば、上記した携帯端末から情報交換を求める相手に関する情報を受け付け、所定の生成規則に従ってマッチングキーを生成し、マッチングキー生成規則ＩＤとともに、前記携帯端末に送信するマッチングキー生成部を備えたこと、を特徴とするマッチングキー生成サーバが提供される。
【００１２】
本発明の第５の視点によれば、広告情報データベースと、近距離無線通信機能と、を備え、上記した各携帯端末から受信したマッチングキー生成規則ＩＤ及びマッチングキーに適合する広告情報を配信する広告配信部を備えること、を特徴とする広告配信サーバが提供される。
【発明の効果】
【００１３】
本発明によれば、日常生活の中で、自分が求める情報内容にマッチしたコミュニケーション相手を検索する携帯端末を実現することが可能になる。その理由は、マッチングキーの生成規則のＩＤを用いてマッチングキーの交換を行う他の携帯端末を選別した後で、マッチングキーを用いてマッチングを行う低消費電力かつ適用範囲を広くできる構成を採用したことにある。
【発明を実施するための最良の形態】
【００１４】
続いて、本発明を実施するための最良の形態について図面を参照して詳細に説明する。図１は、本発明の一実施形態に係る携帯端末を利用した情報交換方法を説明するためのシステム構成図である。
【００１５】
図１を参照すると、複数の携帯端末１ａ、１ｂ、１ｃ、１ｄと、基地局２と、インターネット４と、インターネット４上に設けられた複数のサーバ５ａ、５ｂ、５ｃとが示されている。携帯端末１ａ、１ｂ、１ｃ、１ｄとインターネット４との間は、パケット通信網３で接続されている。
【００１６】
携帯端末１ａ、１ｂ、１ｃ、１ｄは、例えば、携帯電話端末、ＰＤＡ（Ｐｅｒｓｏｎａｌ  Ｄｉｇｉｔａｌ  Ａｓｓｉｓｔａｎｔ）、携帯型パーソナルコンピュータ等のＷＥＢブラウザを搭載した情報処理装置であり、基地局２及びパケット通信網３を介してインターネット４へ接続し、サービス提供事業者が提供する複数のサーバ５ａ、５ｂ、５ｃに接続することが可能となっている。
【００１７】
携帯端末１ａ、１ｂ、１ｃ、１ｄには、ＺｉｇＢｅｅ（登録商標）、Ｂｌｕｅｔｏｏｔｈ（登録商標）、その他独自規格による近距離無線通信機能が具備されており、携帯端末１ａ、１ｂ、１ｃ、１ｄ同士で、基地局２や、インターネット４を介さない通信が可能となっている。
【００１８】
図２は、上記携帯端末１ａ、１ｂ、１ｃ、１ｄの詳細構成を表したブロック図である。図２を参照すると、アンテナを介して基地局２との無線通信を行う無線部１００と、携帯端末の各部を制御する制御部２００と、マッチングキー及びサイト情報を記憶する記憶部３００と、操作部４００と、表示部５００と、近距離無線通信モジュール６００と、近距離無線通信モジュールを制御するための近距離無線通信管理部７００と、が示されている。
【００１９】
記憶部３００には、マッチングキー生成アプリケーション保持部８００が設けられており、サーバ５ａ、５ｂ、５ｃで提供されるマッチングキー生成アプリケーションを格納可能となっている。
【００２０】
近距離無線通信管理部７００は、同一のマッチングキー生成規則によって生成されたマッチングキーを保持する他の携帯端末を検索する端末検索機能と、端末検索機能にて検索された携帯端末とマッチングキーを照合し情報交換を求める相手であるか否かを判定するマッチング機能と、情報交換を求める相手であると判定された相手（携帯端末）との情報交換機能（情報交換用アドレス交換機能）を提供する。近距離無線通信管理部７００は、後記する携帯端末検索・マッチング手順や情報交換用アドレス交換処理を実行するアプリケーションプログラムをインストールすることによって実現することができる。
【００２１】
サーバ５ａ、５ｂ、５ｃは、商品の売買サイトや、同好の士や仲間を募る各種コミュニティサイトであり、携帯端末１ａ、１ｂ、１ｃ、１ｄからの要求に応じて、以下のようにマッチングキーを生成するアプリケーションを提供する。
【００２２】
［マッチングキーの生成規則］
以下、携帯端末１ａのユーザが、サーバ５ａによって提供されている商品の売買サイトＡＡＡ（マッチングキー生成規則ＩＤも「ＡＡＡ」とする。）の登録ユーザであり、信頼のおける相手からの商品の購入を希望しているケースを想定して説明する。
【００２３】
携帯端末１ａのユーザは自転車の購入希望を持っており、その購入希望価格は、２０００円位である場合、図３に例示するマッチングキー生成アプリケーションの希望商品入力画面中のカテゴリから「自転車」、価格帯から「１０００〜２０００」（円）、売買区分から「買います」をそれぞれ選択し、マッチングキー作成ボタンを起動すると、マッチングキーが生成され、売買サイトＡＡＡのＩＤ「ＡＡＡ」とともに、記憶部３００に格納される。
【００２４】
マッチングキー生成アプリケーションは、上記選択内容に対して、例えば、以下のようなマッチングキー生成規則により、マッチングキーを生成する。
【００２５】
図３のカテゴリ中の「自転車」は「００」、「自動車」は「０１」、「オートバイ」は「１０」との２進コードが与えられているものする。
【００２６】
同様に、図３の価格帯中の「０〜１０００」（円）は「００」、「１０００〜２０００」（円）は「０１」、「２０００〜３０００」（円）は「１０」との２進コードが与えられているものする。
【００２７】
同様に、図３の売買区分の「売ります」は「０」、「買います」は「１」との２進コードが与えられているものする。
【００２８】
「１０００〜２０００」（円）の「自転車」を「買います」という携帯端末１ａユーザの選択内容から、上記２進コードを連結して、「０００１１」とのビット列を生成することができ、これをマッチングキーとする。
【００２９】
一方、携帯端末１ｂのユーザも商品の売買サイトＡＡＡの登録ユーザであり、自転車を２０００円で売りたいという内容を入力した場合、その搭載するマッチングキー生成アプリケーションにより、マッチングキー「０００１０」を得ることができる。
【００３０】
携帯端末１ａのユーザが得たマッチングキー「０００１１」と、売買サイトＡＡＡから提供されたマッチングキー生成アプリケーションがインストールされた携帯端末１ｂのユーザが得たマッチングキー「０００１０」とを比較すると、先頭４ビットが同じで最後のビットが反転した関係となっている。
【００３１】
このとき、携帯端末１ａのユーザのマッチングキーと、携帯端末１ｂのユーザのマッチングキーは、最後の１ビットを除き一致した状態になっている。また、携帯端末に、マッチング条件として、隣接する価格帯も一致と見做す、価格帯は問わないと設定を行うためのマッチング条件設定部を備えることもでき、これにより、例えば、自転車を０〜３０００円で売りたい、特別な自転車を譲りたいと考えている相手の検索が可能となる。
【００３２】
以上のマッチングキー生成規則は、本発明の理解を容易にするために簡単化したものであり、取り扱う商品・サービスの種類、価格帯、納期、支払方法、手渡し可否等の一般の売買サイトでも入力される条件項目を組み合わせる、より複雑なマッチングキー生成規則を用いることが可能である。いずれにしても、携帯端末間で、マッチングキー生成規則が一致していれば、お互いが情報を求める相手に関する情報を得ることが可能となる。
【００３３】
続いて、本実施形態に係る携帯端末の動作について図面を参照して詳細に説明する。図４は、携帯端末の近距離無線通信管理部７００を制御するための相手検索メニューとして用意された項目と、それぞれの動作内容を表した図である。以下、図４のボタン「情報交換」、「巡回情報交換」、「設定」を起動させた場合の携帯端末の動作についてそれぞれ説明する。
【００３４】
［情報交換］
携帯端末のユーザが、情報交換ボタンＳ１を起動させると、携帯端末の近距離無線通信管理部７００は、１又は複数の特定のマッチングキー生成規則（図４の例ではＡＡＡ）によるマッチングキーを用いた情報交換の相手（携帯端末）の検索動作を所定時間間隔で実施する。なお、マッチングキー生成規則（サイト）毎に、相手検索を行うか否か（サービスＯＮ／ＯＦＦ；検索相手指定機能）、前述したマッチング条件の設定（完全一致、部分一致等）等をプロパティとして設定することが可能である。
【００３５】
［巡回情報交換］
携帯端末のユーザが、巡回情報交換ボタンＳ２を起動させると、携帯端末の近距離無線通信管理部７００は、巡回リストに設定された１又は複数のマッチングキー生成規則（図４の例ではＡＡＡ、ＢＢＢ、ＣＣＣ）によるマッチングキーを用いた情報交換の相手（携帯端末）の検索動作を順番に実行する。
【００３６】
［設定］
設定ボタンＳ３は、上記携帯端末の近距離無線通信管理部７００による情報交換動作や巡回情報交換動作の実行間隔（定期チェック間隔）や、既知の同一の携帯端末との情報交換を行う時間間隔を設定する際に使用される。例えば、上記定期チェック間隔として３０分と指定した場合、本設定がなければ、３０分間隔で近傍に所在する同一の携帯端末とマッチングキーの照合が行われてしまう。同一の携帯端末と頻繁に情報交換を行っても新しい情報が得られる可能性は少なく、また、消費電力の低減の観点から、本機能により、同一の携帯端末との情報交換を行う時間間隔を長く設定することが望ましい。
【００３７】
続いて、上記マッチングキー生成規則ＩＤ及びマッチングキーを用いた情報交換方法について具体的な例を挙げて説明する。以下、ユーザ１の携帯端末１ａは、サイトＡＡＡ、サイトＢＢＢ、サイトＣＣＣのマッチングキー生成アプリケーションをインストール済みで、それぞれマッチングキーを保持しており、ユーザ２の携帯端末１ｂは、サイトＤＤＤ、サイトＥＥＥ、サイトＡＡＡ、サイトＢＢＢのマッチングキー生成アプリケーションをインストール済みで、それぞれマッチングキーを保持しており、ユーザ３の携帯端末１ｃは、サイトＦＦＦ、サイトＧＧＧ、サイトＨＨＨ、サイトＩＩＩのマッチングキー生成アプリケーションをインストール済みで、それぞれマッチングキーを保持しており、携帯端末１ａ、１ｂ、１ｃが互いに近距離無線通信できる範囲に存在するものとして説明する。
【００３８】
携帯端末１ａの近距離無線通信管理部７００は、上記した定期チェック間隔が到来すると、その近距離無線通信エリア内に存在する他の携帯端末の探索処理を実行する。なお、他の携帯端末の探索は、携帯端末に実装された近距離無線通信モジュール及び無線通信方式に応じた方法を採用することができる。
【００３９】
前記探索の結果、接続可能状態で待機している携帯端末１ｂ、１ｃが検出され、該携帯端末との物理的なリンクが確立されたら、以後、近距離無線通信管理部７００同士によるアプリケーションレベルでの情報交換が行われる。
【００４０】
はじめに、ユーザ１の携帯端末１ａは、ユーザ２の携帯端末１ｂ及びユーザ３の携帯端末１ｃとマッチングキー生成規則ＩＤを交換する。図５、図６は、それぞれユーザ１の携帯端末１ａとユーザ２の携帯端末１ｂ、ユーザ１の携帯端末１ａとユーザ３の携帯端末１ｃとの間で交換される情報を模式的に表した図である。
【００４１】
図５、図６において、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）の後の記号「＠」は、送受信されるマッチングキー生成規則ＩＤの始点及び終点を表し、記号「＃」は各マッチングキー生成規則ＩＤの区切りを表している。
【００４２】
図５の例では、サイトＡＡＡ、サイトＢＢＢ、サイトＣＣＣのマッチングキーを保持していることが、携帯端末１ａから携帯端末１ｂに伝達され、サイトＤＤＤ、サイトＥＥＥ、サイトＡＡＡ、サイトＢＢＢのマッチングキーを保持していることが、携帯端末１ｂから携帯端末１ａに伝達される。この場合、携帯端末１ａ、１ｂは、それぞれ、同じサイトＡＡＡ、ＢＢＢのマッチングキーを保持していることを判別することができる。
【００４３】
同じサイトＡＡＡ、ＢＢＢのマッチングキーを保持している携帯端末であることが確認されると、携帯端末１ａ及び携帯端末１ｂは、続いて、マッチングキーそのものを交換する。
【００４４】
前記マッチングキーの交換の結果、互いのマッチングキーの一部又は全部が一致することを確認できた場合は、携帯端末１ａ（携帯端末１ｂ）の近距離無線通信管理部７００は、携帯端末１ｂ（携帯端末１ａ）に対して、情報交換用のアドレスを送信し、又は、情報交換用のアドレスの送信を要求する。
【００４５】
情報交換用のアドレスは、例えば、電話番号や、電子メールアドレスや、サイトＡＡＡ、サイトＢＢＢのユーザの商品が掲載されたページのＵＲＬ等であり、情報交換を行う内容（目的・性質）に応じて、予めユーザが指定する。これにより、ユーザ１とユーザ２の間で直接、売買する商品の詳細を確認したり、対面取引を行うことが可能となる。
【００４６】
一方、図６の例では、サイトＡＡＡ、サイトＢＢＢ、サイトＣＣＣのマッチングキーを保持していることが、携帯端末１ａから携帯端末１ｃに伝達され、サイトＦＦＦ、サイトＧＧＧ、サイトＨＨＨ、サイトＩＩＩのマッチングキーを保持していることが、携帯端末１ｃから携帯端末１ａに伝達される。この場合、携帯端末１ａ、１ｃは、それぞれ、同じ生成規則で生成されたマッチングキーを持たないと判別することができる。この場合は、携帯端末１ａ及び携帯端末１ｃは、マッチングキーの交換を行うことなく、それぞれ、確立した物理的なリンクを切断する。
【００４７】
以上、本発明の好適な実施形態を、自転車の売買を行う相手を見つける事例を挙げて説明したが、それぞれの目的に適ったサイトのマッチングキーを入手し、その生成規則ＩＤと組にして記憶することで、例えば、趣味の情報交換相手、悩み相談の相手を見つけることが可能となる。また、例えば、特定のつながりを持つもの同士で構成するコミュニティサイトで発行されたマッチングキーを用いて、面識はないが同コミュニティサイトの会員である者が、近くにいることを知らせるといった用途にも適用することができる。
【００４８】
また、図１の携帯端末１ｃ、１ｄに示すように、上記携帯端末と同等の機能を有する小型端末をペットの首輪、リード、ハーネス等に装着し、ペットの種類やペットに関する相談内容に応じたマッチングキー生成規則及びマッチングキーをセットしておけば、ペットと散歩するだけで、求めていた情報を有する飼い主の電話番号、電子メールアドレス、ホームページＵＲＬ、ペットの飼育ブログ（ウェブログ）等のアドレスを入手することが可能となる。
【００４９】
また、上記した仕組みは、個人同士の情報交換に止まらず、企業等と個人の情報交換にも利用できる。例えば、広告情報データベースと、近距離無線通信機能とを備え、前記カテゴリー情報又は／及びマッチングキーに適合する広告情報を配信する広告配信部を備える広告配信サーバを配置することで、広告情報や電子クーポン等を選択配信することもできる。
【００５０】
また、上記した実施形態では、携帯端末側で、マッチングキーの生成用アプリケーションをインストールして、マッチングキーを生成するものとして説明したが、インターネット４上のサーバ（例：５ａ〜５ｃ）に、それぞれ予め定めたマッチングキー生成規則によるマッチングキーの生成機能を備えて、携帯端末側に提供する構成も採用可能である。
【００５１】
また、上記した実施形態では、サイト毎にマッチングキーの生成用アプリケーションを提供するものとして説明したが、情報交換を求める相手に関する情報の項目等が共通する場合には、これら複数サイト間でマッチングキー生成規則を共通化することも可能である。
【図面の簡単な説明】
【００５２】
【図１】本発明の一実施形態に係る情報交換方法を説明するためのシステム構成図である。
【図２】本発明の一実施形態に係る携帯端末の詳細構成を表したブロック図である。
【図３】マッチングキーの生成例を説明するための図である。
【図４】携帯端末の近距離無線通信機能を利用した相手検索メニューとして用意された項目と、それぞれの動作内容を表した図である。
【図５】携帯端末間で交換される情報を模式的に表した図である。
【図６】携帯端末間で交換される情報を模式的に表した図である。
【符号の説明】
【００５３】
１ａ、１ｂ、１ｃ、１ｄ  携帯端末
２  基地局
３  パケット通信網
４  インターネット
５ａ、５ｂ、５ｃ  サーバ
１００  無線部
２００  制御部
３００  記憶部
４００  操作部
５００  表示部
６００  近距離無線通信モジュール
７００  近距離無線通信管理部
８００  マッチングキー生成アプリケーション保持部
【図１】
2008244776.tif 000003
【図２】
2008244776.tif 000004
【図３】
2008244776.tif 000005
【図４】
2008244776.tif 000006
【図５】
2008244776.tif 000007
【図６】
2008244776.tif 000008